(57)【要約】【課題】報知内容の把握の容易化を図ることが可能な建物用監視装置を提供する。【解決手段】モニタ装置２１は、ＬＥＤ３３が多数搭載されたＬＥＤ表示部３１を備えているとともに、当該ＬＥＤ表示部３１に対してその前側にて対向するようにして配設された透明ディスプレイ表示部３２を備えている。このうち、透明ディスプレイ表示部３２では建物の外形Ｓが表示され、ＬＥＤ表示部３１では上記多数のＬＥＤ３３のうち一部のＬＥＤ３３により外形Ｓに対応させた各監視対象の位置が表示される。また、各監視対象の位置を表示するＬＥＤ３３では、それら監視対象の状態が識別可能に表示される。つまり、モニタ装置２１では、建物の外形Ｓが表示されるとともに、その外形Ｓに対応させて各監視対象の位置が表示され、さらにそれら各監視対象の状態が識別可能に表示されるようになっている。【選択図】図２
2008257328.tif 000002
【特許請求の範囲】
【請求項１】
建物における各監視対象の状態を識別可能に表示する表示手段と、各監視対象の状態を検出する複数のセンサ装置から入力した検出結果に基づいて前記表示手段を表示制御する表示制御手段と、を備え、
当該表示制御手段は、建物の形状のうち外壁に沿った外形を少なくとも含む建物図形を表示させる図形表示制御手段と、前記各監視対象の位置を前記建物図形に対応させて表示させる位置表示制御手段と、各監視対象の状態を識別可能に表示させる識別表示制御手段と、を備えていることを特徴とする建物用監視装置。
【請求項２】
前記識別表示制御手段は、前記位置表示制御手段が前記建物図形に対応した前記各監視対象の位置を表示させた各部位にて、それら各監視対象の状態を識別可能に表示させるものであることを特徴とする請求項１に記載の建物用監視装置。
【請求項３】
前記表示手段は、同一の表示領域内において前記各監視対象の位置を個別に表示するための位置情報表示部位を複数有しており、
前記表示制御手段は、前記複数の位置情報表示部位の少なくとも一部と前記複数のセンサ装置との対応関係を記憶する対応関係記憶手段と、記憶実行操作に応じて前記記憶手段に前記対応関係を記憶させる記憶実行手段と、をさらに備えており、
前記位置表示制御手段は、前記対応関係記憶手段に記憶された前記対応関係に基づいて前記各位置情報表示部位の表示制御を行うことにより、前記各監視対象の位置を表示させるものであることを特徴とする請求項１又は２に記載の建物用監視装置。
【請求項４】
前記位置情報表示部位は、マトリックス状に並ぶように配置されていることを特徴とする請求項３に記載の建物用監視装置。
【請求項５】
前記センサ装置から出力された信号を入力する信号入力手段をさらに備えており、
前記記憶実行手段は、前記信号入力手段にて前記センサ装置から登録用信号を入力したことに基づいて、そのセンサ装置と前記位置情報表示部位との対応関係を前記対応関係記憶手段に記憶させるものであることを特徴とする請求項３又は４に記載の建物用監視装置。
【請求項６】
前記図形表示制御手段は、前記対応関係記憶手段に記憶された前記対応関係に基づいて前記建物図形を把握する把握手段を有しており、当該把握手段の把握結果に基づいて前記建物図形を表示させるものであることを特徴とする請求項３乃至５のいずれかに記載の建物用監視装置。
【請求項７】
前記各監視対象の少なくとも一部は、前記外壁の開口部に設けられた各開閉体又はそれらの施錠装置であり、
前記把握手段は、さらに前記各開閉体又は各施錠装置に設けられたセンサ装置について前記位置情報表示部位との対応関係が記憶された順序に基づいて前記建物図形を把握するものであることを特徴とする請求項６に記載の建物用監視装置。
【請求項８】
前記複数の位置情報表示部位は、発光体搭載部に設けられた複数の発光体であり、
前記位置表示制御手段及び前記識別表示制御手段が前記複数の発光体を発光制御することにより、前記各監視対象の位置が表示されるとともにそれら各監視対象の状態が識別可能に表示されることを特徴とする請求項３乃至７のいずれかに記載の建物用監視装置。
【請求項９】
前記表示手段は、前記複数の発光体間を結ぶように線を表示可能な線表示手段を有しており、
前記図形表示制御手段は、前記各監視対象の位置と対応する各発光体間を結ぶように前記線表示手段の表示制御を行うことにより前記表示手段にて前記建物図形を表示させるものであることを特徴とする請求項８に記載の建物用監視装置。
【請求項１０】
前記線表示手段は、前記発光体搭載部の手前側に配設された透明ディスプレイ表示部であることを特徴とする請求項９に記載の建物用監視装置。
【請求項１１】
前記表示制御手段は、前記建物図形とは別に文字情報又は図形情報を表示するように前記透明ディスプレイ表示部を表示制御する手段をさらに備えていることを特徴とする請求項１０に記載の建物用監視装置。
【請求項１２】
前記表示制御手段は、前記建物図形の情報を外部から入力する図形情報入力手段と、当該図形情報入力手段にて入力した前記建物図形の情報を記憶する図形情報記憶手段と、をさらに備えており、
前記図形表示制御手段は、前記図形情報記憶手段に記憶された前記建物図形の情報に基づいて、前記表示手段にて前記建物図形を表示させるものであることを特徴とする請求項１又は２に記載の建物用監視装置。
【請求項１３】
前記建物図形の情報には、当該建物図形に対応した前記各監視対象の位置の情報が予め含まれており、
前記位置表示制御手段は、前記図形情報記憶手段に記憶された前記建物図形に対応した前記各監視対象の位置の情報に基づいて、前記表示手段にて前記各監視対象の位置を前記建物図形に対応させて表示させるものであることを特徴とする請求項１２に記載の建物用監視装置。
【請求項１４】
前記表示手段にて各階に対応した表示がなされるよう操作される切換操作手段を有しており、
前記図形表示制御手段は、前記建物図形として各階の間取りの少なくとも外周縁形状を表示させ、さらに前記切換操作手段の操作に応じた階の前記建物図形を表示させ、
前記位置表示制御手段は、前記切換操作手段の操作に応じた階の前記各監視対象の位置をその階の建物図形に対応させて表示させるものであることを特徴とする請求項１乃至１３のいずれかに記載の建物用監視装置。
【請求項１５】
前記監視対象として、前記外壁に設けられた各開口部を開閉する開閉体又は当該開閉体を施錠する施錠装置と、
それら開閉体又は施錠装置の状態を個別に検出する複数のセンサ装置と、
それらセンサ装置から受信した検出結果に基づいて各監視対象の状態を識別可能に表示する請求項１乃至１４のいずれかに記載の建物用監視装置と、
を備えていることを特徴とする建物。
【発明の詳細な説明】
【技術分野】
【０００１】
本発明は、例えば建物の扉や窓の施解錠状態等を監視する建物用監視装置及びそれを備えた建物に関するものである。
【背景技術】
【０００２】
建物におけるセキュリティ性の向上を目的として、扉や窓の施解錠状態等を監視する建物用監視装置が提案されている（例えば、特許文献１参照）。この建物用監視装置は、扉や窓に設けられた複数のセンサから施解錠等に関する信号を入力する機能を有しているとともに、その入力結果を表示する機能を有している。
【０００３】
建物用監視装置９１の具体的な構成について図１６を用いて説明する。図１６に示すように、建物用監視装置９１は、モニタ部９２を有している。モニタ部９２には複数のランプ９３が複数列に並設されており、さらにそれら各ランプ９３に１対１で対応させて表記部９４が設けられている。各表記部９４には監視対象を示す文字が記されている。そして、建物用監視装置９１に内蔵されたマイコンにより、扉等に設けられた各センサからの入力結果に基づいて各ランプ９３の点灯制御が行われる。例えば、入力結果に基づいて施錠状態であると判断した監視対象に対応したランプ９３については緑色を点灯させ、解錠状態であると判断した監視対象に対応したランプ９３については赤色を点灯させる。かかる構成により、建物の住人等はモニタ部９２を視認することで扉等の施解錠状態を把握することが可能である。
【特許文献１】特開２００６−１６９８９１号公報
【発明の開示】
【発明が解決しようとする課題】
【０００４】
しかしながら、上記建物用監視装置９１では、住人等は各表記部９４に記された文字を読み取ることで各ランプ９３に対応した監視対象を認識するため、建物における何れの位置の施解錠状態を示しているか（すなわち、報知内容）をモニタ部９２を一瞥しただけでは把握しづらい。したがって、報知内容の把握の容易化に関して改良の余地がある。
【０００５】
本発明は、上記事情に鑑みなされたものであり、報知内容の把握の容易化を図ることが可能な建物用監視装置及びそれを備えた建物を提供することを主たる目的とするものである。
【課題を解決するための手段】
【０００６】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００７】
本発明の建物用監視装置（モニタ装置２１，４１，７１，８１）は、建物における各監視対象の状態を識別可能に表示する表示手段（ＬＥＤ表示部３１、透明ディスプレイ表示部３２、モニタ表示部４４，発光表示部７２、モニタ表示部８２）と、各監視対象の状態を検出する複数のセンサ装置（センサ装置１１）から入力した検出結果に基づいて前記表示手段を表示制御する表示制御手段（マイコン２４，４２）とを備えており、当該表示制御手段は、建物の形状のうち外壁に沿った外形を少なくとも含む建物図形（外形Ｓ、間取り図形Ｌの外周縁の形状）を表示させる図形表示制御手段と、前記各監視対象の位置を前記建物図形に対応させて表示させる位置表示制御手段と、各監視対象の状態を識別可能に表示させる識別表示制御手段と、を備えていることを特徴とする。
【０００８】
つまり、建物用監視装置では、各監視対象の状態の情報が、建物図形を基準とした各監視対象の空間的な位置情報と対応付けて表示される。これにより、住人等は建物用監視装置の表示手段を一瞥するだけで、当該表示手段にて建物における何れの位置の監視対象の状態が示されているかを把握することができる。よって、報知内容の把握の容易化が図られる。
【０００９】
なお、監視対象としては扉や窓の施錠装置が考えられ、この場合、監視対象の状態とはそれら施錠装置の施解錠状態となる。また、これ以外にも、監視対象としては扉や窓自体が考えられ、この場合、監視対象の状態とはそれら扉や窓の開閉状態となる。
【００１０】
また、「建物図形」としては、建物の間取りの外形を平面的に表示するものや、建物の間取りを表示するものや、建物の外形を立体的に表示するものが含まれる。
【００１１】
前記識別表示制御手段を、前記位置表示制御手段が前記建物図形に対応した前記各監視対象の位置を表示させた各部位にて、それら各監視対象の状態を識別可能に表示させる構成とすると良い。これにより、建物図形に対応した各監視対象の位置とそれら各監視対象の状態とが一体的に表示されることとなり、報知内容の把握のさらなる容易化が図られる。
【００１２】
前記表示手段を、同一の表示領域内において前記各監視対象の位置を個別に表示するための位置情報表示部位（ＬＥＤ３３，７３、位置情報表示領域８３）を複数有する構成とし、さらに前記表示制御手段を、前記複数の位置情報表示部位の少なくとも一部と前記複数のセンサ装置との対応関係を記憶する記憶手段（対応関係記憶領域３６）と、記憶実行操作に応じて前記記憶手段に前記対応関係を記憶させる記憶実行手段（マイコン２４におけるＩＤコード登録処理機能）と、をさらに備えた構成とするとともに、前記位置表示制御手段を、前記対応関係記憶手段に記憶された前記対応関係に基づいて前記各位置情報表示部部位の表示制御を行うことにより、前記各監視対象の位置を表示させる構成としても良い。
【００１３】
本構成においては、建物に設けられた各センサ装置について記憶実行操作を行うことで、それら各センサ装置と各位置情報表示部位との対応関係が記憶され、その記憶された対応関係に基づいて建物図形に対応した各監視対象の位置が表示される。本構成によれば、記憶実行操作を行うことで、各監視対象の位置の表示を行わせることができ、建物用監視装置における表示を各種間取りに対応させることができる。よって、各監視対象の位置の表示に関する専用の情報を予め作成しておく必要が生じない。
【００１４】
なお、「記憶実行操作」には、対応関係の記憶を開始させるべく操作される記憶開始操作手段が建物用監視装置に設けられた構成においては、その記憶開始操作手段を操作することが含まれ、対応関係を記憶させる位置情報表示部位を選択する選択操作手段が建物用監視装置に設けられた構成においては、対応関係を記憶させる位置情報表示部位を選択すべく選択操作手段を操作することが含まれる。
【００１５】
上記のように表示手段が複数の位置情報表示部位を有する構成においては、それら位置情報表示部位をマトリックス状に並ぶように配置すると良い。これにより、各センサ装置との対応関係を記憶させる場合における、各位置情報表示部位の選択の自由度が高められ、建物用監視装置における表示を各種間取りに対応させることができる。よって、建物用監視装置の汎用性が高められる。
【００１６】
前記センサ装置から出力された信号を入力する信号入力手段（受信アンテナ２２、受信回路２３）をさらに備えた構成においては、前記記憶実行手段は、前記信号入力手段にて前記センサ装置から登録用信号を入力したことに基づいて、そのセンサ装置と前記位置情報表示部位との対応関係を前記対応関係記憶手段に記憶させる構成とすると良い。建物用監視装置においては各センサ装置の登録を行う必要があり、本構成においては、その行う必要がある各センサ装置の登録により、上記対応関係が記憶され、建物図形に対応した各監視対象の位置の表示が可能となる。よって、上記のように対応関係を記憶させるようにした構成において、その記憶をさせる上での作業性を良好なものとすることができる。
【００１７】
また、前記図形表示制御手段を、前記対応関係記憶手段に記憶された前記対応関係に基づいて前記建物図形を把握する把握手段（外形記憶領域３７、マイコン２４における外形作成処理機能）を有する構成とするとともに、当該把握手段の把握結果に基づいて前記表示手段に前記建物図形を表示させる構成とすると良い。これにより、各位置情報表示部位と各センサ装置との対応関係を記憶させることで、自ずと建物図形が表示されることとなり、建物図形を表示させるための操作を要しない。よって、建物図形を表示するようにした構成において、建物用監視装置にて監視を実行させるための登録に際しての作業性が向上する。
【００１８】
また、各監視対象の少なくとも一部が、前記外壁の開口部に設けられた各開閉体又はそれらの施錠装置である構成においては、前記把握手段を、さらに前記各開閉体又は各施錠装置に設けられたセンサ装置について前記位置情報表示部位との対応関係が記憶された順序に基づいて前記建物図形を把握する構成とすると良い。かかる構成においては、建物図形の把握は、各位置情報表示部位と各センサ装置との対応関係の情報だけでなく、対応関係の記憶を行った順序の情報に基づいて行われる。したがって、建物図形を把握する上での情報量が多くなり、当該建物図形の把握を正確に行うことが可能となる。
【００１９】
前記複数の位置情報表示部位として、発光体搭載部（ＬＥＤ表示部３１、発光表示部７２）に搭載された複数の発光体（ＬＥＤ３３，７３）を設け、前記位置表示制御手段及び前記識別表示制御手段が前記複数の発光体を発光制御することにより、前記各監視対象の位置が表示されるとともにそれら各監視対象の状態が識別可能に表示される構成とすると良い。これにより、表示制御手段は発光体の発光制御を行うだけで、建物図形に対応させた各監視対象の位置にて、それら監視対象の状態を識別可能に表示することができる。
【００２０】
前記表示手段を、前記複数の発光体間を結ぶように線を表示可能な線表示手段（透明ディスプレイ表示部３２、直線表示用ランプ部７４）を有する構成とし、前記表示制御手段を、前記各監視対象の位置と対応する各発光体間を結ぶように前記線表示手段の表示制御を行うことにより前記表示手段にて前記建物図形を表示させる構成とすると良い。このように複数の発光体と線表示手段とを用いることにより、建物図形に対応した各監視対象の位置の表示が可能となる。
【００２１】
また、前記線表示手段としては、前記発光体搭載部の手前側に配設された透明ディスプレイ表示部（透明ディスプレイ表示部３２）が考えられる。
【００２２】
このように透明ディスプレイ表示部を設けた構成においては、前記表示制御手段を、前記建物図形とは別に文字情報又は図形情報を表示するように前記透明ディスプレイ表示部を表示制御する構成とする良い。かかる構成においては、建物用監視装置にて、各監視対象の状態以外の情報も報知することができる。例えば表示制御手段が「在宅モード」や「警戒モード」といった複数のモードを有する構成においては、滞在しているモードを文字情報や図形情報により報知することができる。また、センサ装置の電力状態を文字情報や図形情報により報知することも可能である。
【００２３】
建物図形や各監視対象の位置を特定する手段としては、以下の手段も考えられる。
【００２４】
前記表示制御手段には、前記建物図形の情報を外部から入力する図形情報入力手段（データ入力部４３、通信部４８）と、当該図形情報入力手段にて入力した前記建物図形の情報を記憶する図形情報記憶手段（間取りデータ記憶領域４６）と、をさらに設け、前記図形表示制御手段を、前記図形情報記憶手段に記憶された前記建物図形の情報に基づいて、前記表示手段にて前記建物図形を表示させる構成とすると良い。この場合、図形情報入力手段を介して外部から入力した建物図形の情報に基づいて、表示手段にて建物図形が表示されることとなる。この場合、建物用監視装置のユーザーにとっては、建物図形の情報を作成するための特別な操作が必要なくなり、当該ユーザーにとっての利便性が高められる。
【００２５】
また、前記建物図形の情報には、当該建物図形に対応した前記各監視対象の位置の情報を予め含ませておき、前記位置表示制御手段を、前記図形情報記憶手段に記憶された前記建物図形に対応した前記各監視対象の位置の情報に基づいて、前記表示手段にて前記各監視対象の位置を前記建物図形に対応させて表示させる構成とすると良い。この場合、図形情報入力手段を介して外部から入力した情報に基づいて、表示手段にて建物図形が表示されるだけでなく、建物図形に対応した各監視対象の位置が表示されることとなる。この場合、建物用監視装置のユーザーにとっては、建物図形の情報を作成するための特別な操作が必要なくなるだけでなく、各監視対象の位置の情報を作成するための特別な操作も必要なくなり、当該ユーザーにとっての利便性が高められる。
【００２６】
前記表示手段にて各階に対応した表示がなされるよう操作される切換操作手段（表示階切換スイッチ２９）を設け、前記図形表示制御手段を、前記建物図形として各階の間取りの少なくとも外周縁形状を表示させ、さらに前記切換操作手段の操作に応じた階の前記建物図形を表示させる構成とし、前記位置表示制御手段を、前記切換操作手段の操作に応じた階の前記各監視対象の位置をその階の建物図形に対応させて表示させる構成とすると良い。このように各階に対応した表示が切り換えられるようにすることで、全ての階の表示をまとめて行う構成に比べ、表示手段及び建物用監視装置の大型化を抑制しつつ、表示手段における表示内容の視認性の向上が図られる。
【００２７】
前記監視対象として、前記外壁に設けられた各開口部を開閉する開閉体又は当該開閉体を施錠する施錠装置と、それら開閉体又は施錠装置の状態を個別に検出する複数のセンサ装置とを備えた建物において、以上説明した建物用監視装置を備えた構成とすると良い。これにより、報知内容の把握の容易化が図られた建物用監視装置を有する建物を提供することが可能となる。
【発明を実施するための最良の形態】
【００２８】
（第１の実施形態）
以下、図面を参照して、本発明を複数階建て住宅の建物用監視システムに具体化した第１の実施形態について説明する。
【００２９】
図１は建物用監視システム１０の概略ブロック図である。図１に示すように、建物用監視システム１０は、センサ装置１１とモニタ装置２１とを備えている。
【００３０】
センサ装置１１は住宅における複数の監視対象に１対１で対応させて設けられており、各センサ装置１１は対応する監視対象の状態を検出する。ここで、監視対象としては扉や窓の施錠装置があり、センサ装置１１は施錠装置が施錠状態又は解錠状態のいずれであるかを検出する機能を有する。本実施形態では特に屋内外を仕切る仕切壁（外壁）の開口部に設けられた扉や開閉窓（これらが開閉体に相当する）の施錠装置に対してセンサ装置１１が設けられている。なお、センサ装置１１の監視対象を施錠装置ではなく扉や開閉窓それ自体としてもよく、この場合、センサ装置１１は扉や開閉窓が閉状態又は開状態のいずれであるかを検出する機能を有することとなる。また、センサ装置１１の監視対象を固定窓としてもよく、この場合、センサ装置１１は固定窓が破壊又は取り外されたことを検出する機能を有することとなる。
【００３１】
モニタ装置２１は、屋内に設けられており、建物用監視装置としての機能を有している。すなわち、モニタ装置２１は、各センサ装置１１から所定の信号を受信し、各監視対象の状態を報知する。なお、モニタ装置２１と各センサ装置１１との信号の送受方法として、本実施形態では無線ＬＡＮが採用されているが、これに限定されることはなく、例えば赤外線、Ｂｌｕｅｔｏｏｔｈ（登録商標）等のいずれの方式をも採用することができる。また、例えば電力線通信、有線ＬＡＮ通信等の有線通信を採用してもよい。
【００３２】
次に、センサ装置１１、及びモニタ装置２１の構成を詳述する。
【００３３】
＜センサ装置１１＞
センサ装置１１について以下に説明する。なお、各センサ装置１１はいずれも同様の構成を備えている。
【００３４】
センサ装置１１は、検出部１２、マイコン１３、送信回路１４、送信アンテナ１５を備えている。検出部１２は、監視対象の施解錠状態を検出するためのものであり、例えば監視対象が施錠状態にあるときにＯＮ状態となり当該ＯＮ状態である旨を示す検出信号をマイコン１３に出力するとともに、解錠状態にあるときにＯＦＦ状態となり当該ＯＦＦ状態である旨を示す検出信号をマイコン１３に出力する。なお、検出部１２により施解錠を検出する構成は周知であるため、ここでは説明を省略する。
【００３５】
マイコン１３は、不揮発性の記憶部１６を有している。記憶部１６には、センサ装置１１毎に個別に設定されたＩＤコードが記憶されている。マイコン１３は、検出部１２から入力した検出信号に基づいて監視対象の施解錠状態を判断する。そして、マイコン１３は、ＩＤコードと監視対象の施解錠状態を示す状態コードとを含む状態特定信号を、送信回路１４に出力する。
【００３６】
また、マイコン１３は、通常では行われないような態様で監視対象の施解錠操作がなされた際にセンサ登録モードに移行するようになっている。具体的には、マイコン１３は、検出部１２のＯＮ状態・ＯＦＦ状態を短時間（例えば、１０秒）に所定回数（例えば、５回）繰り返し検出するとセンサ登録モードに移行する。このセンサ登録モードに移行した場合、ＩＤコードと当該ＩＤコードが登録用のＩＤコードである旨をモニタ装置２１側で特定するための指標となる指標コードとを含む登録用信号を、送信回路１４に出力する。
【００３７】
送信回路１４は、マイコン１３から入力された状態特定信号や登録用信号を所定周波数の電波に変調し、当該電波を送信アンテナ１５を介して外部に送信する。
【００３８】
＜モニタ装置２１＞
モニタ装置２１について以下に説明する。なお、以下の説明では、図１だけでなく図２も参照して説明する。図２（ａ）はモニタ装置２１の外観構成を示す正面図、図２（ｂ）はモニタ装置２１の側面図である。
【００３９】
モニタ装置２１は、受信アンテナ２２、受信回路２３、マイコン２４、各種スイッチ２５〜２９、スピーカ３０、ＬＥＤ表示部３１、透明ディスプレイ表示部３２を備えている。これらのうち、図２に示すように、各種スイッチ２５〜２９及び透明ディスプレイ表示部３２は箱状をなすモニタ装置２１の前面部（意匠面部）に設けられている。また、マイコン２４、スピーカ３０及びＬＥＤ表示部３１はモニタ装置２１に内蔵されている。なお、図２においては図示を省略するが、受信アンテナ２２及び受信回路２３もモニタ装置２１に内蔵されている。
【００４０】
受信アンテナ２２は、センサ装置１１から送信されてくる信号を受信するための媒体であり、受信回路２３に電気的に接続されている。受信回路２３は、受信アンテナ２２により受信された信号を復調して受信信号を生成し、その受信信号をマイコン２４に出力する。
【００４１】
マイコン２４は、不揮発性の記憶部３５を有している。記憶部３５は、対応関係記憶領域３６と外形記憶領域３７とを含んで構成されている。
【００４２】
対応関係記憶領域３６は、複数の各階用記憶領域３６ａ，３６ｂ，・・・を有しており、それら各階用記憶領域３６ａ，３６ｂ，・・・においてそれぞれ住宅の各階に設けられたセンサ装置１１のＩＤコードが個別に登録可能となっている。より具体的には、各階用記憶領域３６ａ，３６ｂ，・・・には、対応する階に設けられた各センサ装置１１の各ＩＤコードの各々が、ＬＥＤ表示部３１における後述する複数のＬＥＤ３３の各々と１対１で関連付けされて登録されている。ＩＤコードの登録については後に説明する。
【００４３】
外形記憶領域３７は、対応関係記憶領域３６と同様に、複数の各階用記憶領域３７ａ，３７ｂ，・・・を有しており、それら各階用記憶領域３７ａ，３７ｂ，・・・においてそれぞれ住宅の各階における外形が登録可能となっている。この登録された外形は透明ディスプレイ表示部３２にて表示される。この外形の登録及び外形の表示については後に説明する。
【００４４】
ちなみに、対応関係記憶領域３６及び外形記憶領域３７のそれぞれにおける各階用記憶領域３６ａ，３６ｂ，・・・、３７ａ，３７ｂ，・・・の数は、一般的な複数階建て住宅の階数に十分対応できるように、少なくとも３以上とされている。これにより、モニタ装置２１の汎用性が高められている。
【００４５】
マイコン２４は、大別して登録モード、在宅モード及び警戒モードの各モードに切り換わり可能である。このうち、登録モードはセンサ装置１１のＩＤコードの登録を行うためのモードであり、在宅モードは住宅の監視を行わないモードであり、警戒モードは住宅の監視を行うモードである。そして、滞在しているモードと入力した受信信号の内容とに基づいて、マイコン２４では各種処理が実行される。これら各種処理については後に説明する。
【００４６】
各種スイッチ２５〜２９は、マイコン２４のモードの切換や、ＬＥＤ表示部３１及び透明ディスプレイ表示部３２における表示内容の変更を行うための操作手段であり、押しボタンスイッチによって構成されている。これら各種スイッチ２５〜２９の操作信号は、マイコン２４に出力される。
【００４７】
各種スイッチ２５〜２９のうち、メイン切換スイッチ２５は在宅モードと警戒モードとの切換を行う際に操作されるとともに、登録モードにおいては登録対象のＬＥＤ３３の切換を行う際に操作される。登録スイッチ２６は在宅モードから登録モードへの移行、及び登録モードから在宅モードへの復帰を行う際に操作される。消去スイッチ２７は登録モードにおいて登録したＩＤコードの個別消去を行う際に操作される。リセットスイッチ２８は登録モードにおいて登録したＩＤコードの一括消去を行う際に操作される。表示階切換スイッチ２９はＬＥＤ表示部３１及び透明ディスプレイ表示部３２における表示対象階の切換を行う際に操作されるとともに、登録モードにおいては登録対象階の切換を行う際に操作される。
【００４８】
スピーカ３０は、登録モードにおいてはＩＤコードの登録確認音を出力するとともに、警戒モードにおいては警報音を出力する。これら登録確認音や警報音などはマイコン２４から鳴動指令信号を入力することで出力される。
【００４９】
ＬＥＤ表示部３１は、図２（ｂ）に示すように、ＬＥＤ搭載基板３４を有しており、その部品搭載面に発光体としてのＬＥＤ（発光ダイオード）３３が多数搭載されている。ＬＥＤ３３は縦横に規則的に並ぶように配置されており、具体的には複数行（例えば、８行）及び複数列（例えば、６列）のマトリックス状に並ぶように配置されている。各ＬＥＤ３３は、マイコン２４から発光指令信号が入力されると、その発光指令信号に応じた色・パターンで発光する。本実施形態において各ＬＥＤ３３は、「緑色」及び「赤色」で発光可能となっている。ＬＥＤ表示部３１により、各監視対象の位置が表示されるとともに、各監視対象の状態が表示される。
【００５０】
透明ディスプレイ表示部３２は、単色（例えば、黒色）の文字や線を表示する。透明ディスプレイ表示部３２としては、透明ＥＬディスプレイや透明液晶ディスプレイなどを用いることができる。また、透明ディスプレイ表示部３２としては、単色表示のものに限定されることはなく、多色表示のものを用いてもよい。透明ディスプレイ表示部３２は、マイコン２４から表示指令信号が入力されると、その表示指令信号に応じた線や文字を表示する。これら線や文字により、住宅の各階の外形Ｓが表示されるとともに、文字情報Ｃ１，Ｃ２，Ｃ３が表示される。
【００５１】
ここで、上記のとおり透明ディスプレイ表示部３２は、モニタ装置２１の前面部に設けられている。また、透明ディスプレイ表示部３２は、図２（ｂ）に示すように、その板面がＬＥＤ表示部３１の板面とほぼ平行となるように当該ＬＥＤ表示部３１の前側に設けられており、透明ディスプレイ表示部３２の裏面はＬＥＤ表示部３１のＬＥＤ搭載面と対向している。そして、ＬＥＤ表示部３１の全ＬＥＤ３３は透明ディスプレイ表示部３２によって覆われた領域内に含まれている。かかる構成であることにより、ＬＥＤ表示部３１のＬＥＤ３３から照射された光の色は、透明ディスプレイ表示部３２を透過する。したがって、図２（ａ）に示すように、各ＬＥＤ３３における発光色及び発光パターンは視認可能となっている。また、住人等は透明ディスプレイ表示部３２における表示内容とＬＥＤ表示部３１における表示内容とが重ね合わされた内容を視認する。
【００５２】
次に、モニタ装置２１のマイコン２４が実行する処理について説明する。マイコン２４は、主として、登録処理及び報知処理を行う。以下、それぞれの処理について説明する。
【００５３】
＜登録処理＞
登録処理について、図３〜図６を用いて説明する。図３は登録処理を示すフローチャート、図４は登録処理におけるＩＤコード登録処理を示すフローチャート、図５は登録処理における外形作成処理を示すフローチャートである。また、図６は登録処理の内容を説明するための説明図であり、そのうち図６（ａ）には住宅の１階部分における間取り例３９を示す。以下、この間取り例３９についての登録処理を説明する。
【００５４】
登録処理は、在宅モードにおいて登録スイッチ２６が操作され登録モードに移行することにより開始される。そして、図３に示すように先ずステップＳ１１にて、登録初期設定処理を行う。登録初期設定処理では、ＬＥＤカウンタの値をクリアする。このＬＥＤカウンタは、マイコン２４における上記記憶部２４とは異なる揮発性メモリに設けられている。ＬＥＤカウンタは登録対象のＬＥＤを特定するために参照されるカウンタであり、クリアされた場合の値は隅角（図２（ａ）で見て左上隅角）のＬＥＤ３３に対応している。
【００５５】
続くステップＳ１２では、登録対象階設定処理を行う。登録対象階設定処理では、登録モード下において表示階切換スイッチ２９が操作されたか否かを判定し、操作された場合には登録対象階の切換を行う。具体的には、対応関係記憶領域３６及び外形記憶領域３７のそれぞれにおける、登録対象の各階用記憶領域３６ａ，３６ｂ，・・・、３７ａ，３７ｂ，・・・の切換を行う。この切換順序は例えば、表示階切換スイッチ２９が操作される度に１階→２階→３階，・・・と切り換わるように設定されている。なお、図２（ａ）に示すように、透明ディスプレイ表示部３２には表示対象階がいずれであるかを示す階情報Ｃ１が表示されるようになっており、登録対象階設定処理では透明ディスプレイ表示部３２に表示指令信号を出力することで、階情報Ｃ１の表示の切換も同時に行う。
【００５６】
続くステップＳ１３では、ＩＤコード登録処理を行う。ＩＤコード登録処理について、図４を用いて説明する。
【００５７】
ＩＤコード登録処理では、先ずステップＳ２１にてメイン切換スイッチ２５が操作されたか否かを判定する。メイン切換スイッチ２５が操作された場合には、ステップＳ２２にてＬＥＤカウンタを更新する。これにより、ＬＥＤカウンタの値が１加算され、登録対象のＬＥＤが変更される。ＬＥＤカウンタの値とＬＥＤ３３とは１対１で関連付けられており、ＬＥＤカウンタの値が１加算されるたびに登録対象のＬＥＤ３３が１つずつ変更される。
【００５８】
この登録対象のＬＥＤ３３の変更順について図２（ａ）を用いて具体的に説明すると、先ず左上隅角のＬＥＤ３３から始まり、その右側のＬＥＤ３３へと順に変更される。また、１の行の右端のＬＥＤ３３に到達した後は、その下の行の左端のＬＥＤ３３に変更される。そして、順に変更され右下隅角のＬＥＤ３３に到達した後は、左上隅角のＬＥＤ３３に復帰する。なお、この変更順は規則的であれば任意である。
【００５９】
ステップＳ２１にて否定判定した場合、又はステップＳ２２の後は、ステップＳ２３にてＬＥＤ点滅処理を行う。ＬＥＤ点滅処理では、登録対象のＬＥＤ３３が所定のパターン及び所定の色で点滅するように、ＬＥＤ表示部３１に発光指令信号を出力する。これにより、登録対象となっているＬＥＤ３３が点滅し、いずれのＬＥＤ３３が登録対象となっているかが報知される。
【００６０】
続くステップＳ２４では、いずれかのセンサ装置１１から登録用信号を受信したか否かを判定する。この登録用信号は上記のとおり、通常では行われない態様で監視対象の施解錠操作がなされた際に、その監視対象に対応したセンサ装置１１から出力される。登録用信号を受信していない場合にはステップＳ２１に戻り、登録用信号を受信している場合にはステップＳ２５に進む。
【００６１】
ステップＳ２５では、対応関係記憶処理を行う。対応関係記憶処理では、受信した登録用信号に含まれるＩＤコードを、ＬＥＤカウンタの値から特定されるＬＥＤ３３と関連付けて対応関係記憶領域３６に登録する。また、当該対応関係記憶処理では、ＩＤコードの登録順序も同時に記憶する。
【００６２】
続くステップＳ２６では、アンサーバック処理を行う。具体的には、スピーカ３０に対して鳴動指令信号を出力し、所定の登録確認音を出力させる。このように登録確認音が出力されることにより、監視対象のＩＤコード登録操作を行っている者に対して、そのセンサ装置１１のＩＤコードの登録が完了した旨を知らせることができる。
【００６３】
続くステップＳ２７では、登録ＬＥＤ点灯処理を行う。登録ＬＥＤ点灯処理では、今回登録されたＩＤコードに対応したＬＥＤ３３の点灯を開始するように、ＬＥＤ表示部３１に発光指令信号を出力する。これにより、対応したＬＥＤ３３が点灯され、いずれのＬＥＤ３３に対してＩＤコードを登録したかが視認可能となる。その後、本ＩＤコード登録処理を終了する。なお、ＩＤコード登録処理では上記処理以外にも、登録対象のＬＥＤ３３を間違えた場合などにその登録を消去するための消去処理も行われ、当該消去処理は消去スイッチ２７の操作に基づいて行われる。
【００６４】
登録処理（図３）の説明に戻り、ステップＳ１３にてＩＤコード登録処理を行った後は、ステップＳ１４にて登録スイッチ２６が操作されたか否かを判定する。登録スイッチ２６が操作されていない場合には、再度ステップＳ１３のＩＤコード登録処理を行う。すなわち、登録スイッチ２６が操作されるまで、上述したＩＤコード登録処理が繰り返し行われることとなる。これにより、各センサ装置１１のＩＤコードの登録を行うことが可能となる。
【００６５】
ここで、各センサ装置１１のＩＤコードの登録は、住宅における登録対象階の外形に沿って一方向に順次実行される。具体的には、右回りで実行される。また、登録対象のＬＥＤ３３の変更は、上記のとおり左上隅角のＬＥＤ３３から始まり右下隅角のＬＥＤ３３で終わるように行われる。したがって、図６（ａ）における間取り例３９においては、図６（ａ）の状態で見て左上側のセンサ装置１１について最初にＩＤコードの登録を行い、その後、右回りで各センサ装置１１ａ〜１１ｆについてＩＤコードの登録を行う。かかるＩＤコードの登録が行われた状態では、ＬＥＤ表示部３１は図６（ｂ）に示す点灯態様となっている。
【００６６】
その後、登録スイッチ２６が操作されることによりステップＳ１４にて肯定判定をし、ステップＳ１５にて外形作成処理を行った後に本登録処理を終了する。外形作成処理について図５を用いて説明する。
【００６７】
外形作成処理では、先ずステップＳ３１にて登録順序把握処理を行う。この登録順序把握処理では、対応関係記憶領域３６を参照することによりＩＤコードの登録順序を把握する。そして、ＩＤコードの登録順序を把握することで、多数あるＬＥＤ３３のうちいずれのＬＥＤ３３についていずれの順序でＩＤコードとの関連付けが行われたかを把握する。
【００６８】
続くステップＳ３２では、外側作成処理を行う。この外側作成処理では、ＩＤコードの登録に関わるＬＥＤ３３ａ〜３３ｆ（以下、登録ＬＥＤ３３ａ〜３３ｆという）のうち、上下左右のそれぞれにおいて外周側にある登録ＬＥＤ３３ａ，３３ｂ，３３ｃ，３３ｅ，３３ｆの位置を基準として表示させる外形作成用の直線Ｌを把握する。
【００６９】
具体的には、先ず図６（ｃ）に示すように、外周側にある各登録ＬＥＤ３３ａ，３３ｂ，３３ｃ，３３ｅ，３３ｆの位置を基準として、各外周に沿って両隣にあるＬＥＤ３３の位置に向けて表示させる外形作成用の直線Ｌを把握する。その後、登録順に従い線を結ぶことができる部位に関しては、既に把握している各直線Ｌを延長させてそれらを結んだ状態を把握する。すなわち、外周側にある登録ＬＥＤ３３ａ〜３３ｆのうち登録順が連続しているものに関しては、既に把握している直線Ｌを延長させてそれらを結んだ状態を把握する。但し、この延長に際しては、１）登録ＬＥＤ３３ａ〜３３ｆの位置が外形の角部分にならないよう極力回避する、２）外周に近い側を線が通るようにする、とうい作成法則に基づいて行われる。これにより、把握されている外形作成用の直線Ｌは、図６（ｄ）に示す態様となる。ちなみに、外形作成用の直線Ｌは登録ＬＥＤ３３ａ〜３３ｆに対して正面視で重複しないように把握される。
【００７０】
続くステップＳ３３では、内側作成処理を行う。この内側作成処理では、登録ＬＥＤ３３ａ〜３３ｆのうち、外側作成処理にて直線Ｌの把握対象とならなかったものについて外形作成用の直線Ｌを把握し、外形Ｓの把握を完成させる。かかる内側作成処理では、上記の作成法則に基づいて直線Ｌを把握する。これにより、把握されている外形作成用の直線Ｌは、図６（ｅ）に示す態様となり、外形Ｓの把握が完了される。ここで、上記のように外形作成用の直線Ｌは登録ＬＥＤ３３ａ〜３３ｆに対して正面視で重複しないように把握されるため、外形Ｓは断続的な環状をなす。なお、外形Ｓを連続的な環状としてもよく、この場合、外形作成用の直線Ｌの一部は登録ＬＥＤ３３ａ〜３３ｆに対して正面視で重複することとなる。
【００７１】
続くステップＳ３４では、外形記憶処理を行う。外形記憶処理では、上記のように把握した外形Ｓの表示内容を外形記憶領域３７の各階用記憶領域３７ａ，３７ｂ，・・・における対応する領域に登録する。この登録が行われることにより、透明ディスプレイ表示部３２にて外形Ｓの表示が開始され、その状態が維持される。その後、本外形作成処理を終了する。なお、外形Ｓの把握に際して、その把握の経過を透明ディスプレイ表示部３２にて表示させるようにしてもよい。
【００７２】
以上のとおり、登録処理が行われセンサ装置１１のＩＤコードが登録されることにより、登録ＬＥＤ３３ａ〜３３ｆが点灯されるとともに、住宅の表示対象階の外形Ｓが表示される。そして、外形Ｓは登録ＬＥＤ３３ａ〜３３ｆの位置に基づいて表示されているため、結果的に登録ＬＥＤ３３ａ〜３３ｆによって監視対象の位置が外形Ｓに対応させて表示されることとなる。
【００７３】
＜報知処理＞
報知処理について以下に説明する。なお、報知処理についてはフローチャートを用いることなく簡略に説明する。
【００７４】
報知処理は監視対象の状態を報知するための処理であり、在宅モード及び警戒モードにおいて行われる。報知処理では、受信回路２３から上記状態特定信号に対応した受信信号が入力されると、ＩＤコード照合を実行する。
【００７５】
具体的には、入力した受信信号に含まれるＩＤコードと、対応関係記憶領域３６に記憶されたＩＤコードのいずれかとが、一致しているか否かを判定する。その結果、両ＩＤコードが一致したと判断した際に、その一致したＩＤコードに関連付けされているＬＥＤ３３に発光指令信号を出力する。この発光指令信号は入力した受信信号に含まれる状態コードに対応したものとなっている。つまり、状態コードが施錠状態コードである場合には緑色の光を照射する旨の発光指令信号を出力し、解錠状態コードである場合には赤色の光を照射する旨の発光指令信号を出力する。これにより、登録に関わる各ＬＥＤ３３では、図２（ａ）に示すように、監視対象の状態に対応した色の光が照射される。
【００７６】
ここで、上記のとおり、ＬＥＤ３３によって監視対象の位置が外形Ｓに対応させて表示されているため、解錠状態となっている監視対象の位置をモニタ装置２１を視認することで容易に把握することができる。さらには、監視対象の位置を表示したＬＥＤ３３によって、対応する監視対象の状態が表示されるため、監視対象の状態の把握をモニタ装置２１を視認することで容易に把握することができる。
【００７７】
警戒モードでは、解錠状態コードを入力した場合、上記のようにＬＥＤ表示部３１に発光指令信号を出力するだけでなく、スピーカ３０に解錠状態となった旨の情報を含む鳴動指令信号を出力する。これにより、スピーカ３０から警報音が出力され、当該警報音によって住人等にいずれかの監視対象が解錠状態となった旨が報知される。さらに、本実施形態では警戒モードとして、主として住人の留守時に設定される「外出警戒モード」と、主として住人の在宅時においても警戒を必要と感じた場合に設定される「在宅警戒モード」とが設定されている。このうち、外出警戒モードでは、モニタ装置２１に内蔵された通信部を介して、例えば住人の携帯用報知装置や管理会社の監視コンピュータに警報信号が電波として送信され、いずれかの監視対象が解錠状態となった旨が報知される。
【００７８】
報知処理では、透明ディスプレイ表示部３２にて表示する文字情報の設定処理が行われる。かかる設定処理では、現在のモードを把握し、その把握したモード情報を含む表示指令信号を透明ディスプレイ表示部３２に出力する。これにより、図２（ａ）に示すように、現在のモードが文字情報Ｃ２として表示される。また、各センサ装置１１から受信した信号に基づいて各センサ装置１１の電池交換が必要か否かを把握し、電池交換が必要なセンサ装置１１については、その旨の表示指令信号を透明ディスプレイ表示部３２に出力する。これにより、図２（ａ）に示すように、電池交換が必要なセンサ装置１１が文字情報Ｃ３として表示される。その他、上記のとおり透明ディスプレイ表示部３２では、階情報が文字情報Ｃ１として表示される。なお、文字情報Ｃ１，Ｃ２，Ｃ３は外形ＳやＩＤコードの登録に関わるＬＥＤ３３に対して正面視で重複しないように表示される。また、透明ディスプレイ表示部３２にて文字情報Ｃ１，Ｃ２，Ｃ３に代えて、それに対応した図形情報を表示する構成としてもよい。
【００７９】
以上詳述した本実施形態によれば、以下の優れた効果が得られる。
【００８０】
モニタ装置２１では、透明ディスプレイ表示部３２により住宅の外形Ｓを表示するとともに、ＬＥＤ表示部３１により外形Ｓに対応させて各監視対象の位置を表示し、さらにその表示状態において各監視対象の状態を識別可能に表示するようにした。つまり、モニタ装置２１では、各監視対象の状態の情報が、住宅の外形を基準とした各監視対象の空間的な位置情報と対応付けて表示される。これにより、住人等はモニタ装置２１を一瞥するだけで、当該モニタ装置２１にて住宅における何れの位置の監視対象の状態が示されているかを把握することができる。よって、報知内容の把握の容易化が図られる。
【００８１】
外形Ｓに対応した各監視対象の位置を表示した部位にてそれら各監視対象の状態を識別可能に表示するようにした。これにより、外形Ｓに対応した各監視対象の位置とそれら各監視対象の状態とが一体的に表示されることとなり、報知内容の把握のさらなる容易化が図られる。特に、ＬＥＤ３３によって、外形Ｓに対応した各監視対象の位置を表示するとともにそれら各監視対象の状態を識別可能に表示する構成としたため、マイコン２４において各ＬＥＤ３３の発光制御を行うようにするだけで、外形Ｓに対応させた各監視対象の位置にて、それら監視対象の状態を識別可能に表示することができる。
【００８２】
各種スイッチ２５〜２９の操作に基づいて、センサ装置１１のＩＤコードを各ＬＥＤ３３と関連付けてマイコン２４の記憶部３５における対応関係記憶領域３６に登録するようにした。つまり、各種スイッチ２５〜２９の操作を行うことで、外形Ｓに対応した各監視対象の位置の表示を行わせることができ、モニタ装置２１における表示を各種間取りに対応させることができる。よって、各監視対象の位置の表示に関する専用の情報を予め作成しておく必要が生じない。また、各ＬＥＤ３３を複数行及び複数列のマトリックス状に配置した。これにより、各センサ装置１１との対応関係を記憶させる場合における、各ＬＥＤ３３の選択の自由度が高められ、モニタ装置２１の汎用性が高められる。
【００８３】
特に、住宅等の建物は、外形・間取りのバリエーションが豊富であり、それに伴って窓や扉の数及び配置位置のバリエーションも豊富である。このような事情においては、上記のようにモニタ装置２１の汎用性を高めることは顕著な効果と言える。
【００８４】
マイコン２４において外形作成処理を行うようにすることで、センサ装置１１のＩＤコードが各ＬＥＤ３３と関連付けて対応関係記憶領域３６に登録された場合には、自ずと外形Ｓが作成されるようにした。これにより、外形Ｓを表示させるための操作を必要としないため、モニタ装置２１にて監視を実行させるための登録に際しての作業性が向上する。特に、外形作成処理における外形Ｓの作成に際しては、センサ装置１１のＩＤコードの登録操作順序も参照するようにした。これにより、外形Ｓの作成は、各センサ装置１１と各ＬＥＤ３３との対応関係の情報だけでなく、登録操作順序の情報に基づいて行われる。したがって、外形Ｓを作成する上での情報量が多くなり、当該外形Ｓの作成を正確に行うことが可能となる。
【００８５】
モニタ装置２１では、表示階切換スイッチ２９の操作に応じて各階に対応した表示が切り換えられるようにした。これにより、全ての階の表示をまとめて行う構成に比べ、モニタ装置２１の大型化を抑制しつつ、モニタ装置２１における表示内容の視認性の向上が図られる。
【００８６】
（第２の実施形態）
本実施形態では、モニタ装置における表示に関する構成が上記第１の実施形態と異なっている。そこで、以下にかかる相違点について図７及び図８を用いて説明する。図７は本実施形態におけるモニタ装置４１の外観構成を示す正面図、図８は本実施形態における建物用監視システム１０の概略ブロック図である。なお、図７及び図８において上記第１の実施形態と同様の構成については同一の番号を付すとともにその説明を省略する。
【００８７】
モニタ装置４１はその前面部に、上記第１の実施形態と同様に各種スイッチ２５〜２９を備えており（図７参照）、さらに内部に、受信アンテナ２２、受信回路２３、スピーカ３０及びマイコン４２を備えている（図８参照）。また、モニタ装置４１には、携帯用の記憶媒体からデータを受け取るためのデータ入力部４３が設けられている。この記憶媒体としては、光ディスク，メモリーカード，メモリースティックなどが考えられる。
【００８８】
モニタ装置４１は、上記第１の実施形態におけるＬＥＤ表示部３１及び透明ディスプレイ表示部３２の代わりに、その前面部にモニタ表示部４４を備えている。モニタ表示部４４は、液晶表示装置からなるが、これに限定されることはなく、ＣＲＴ表示装置、プラズマ表示装置又は有機ＥＬ表示装置などを用いても良い。
【００８９】
モニタ表示部４４では、図７に示すように、住宅の各階の間取り図形Ｌが表示され、さらに間取りに対応した各監視対象の位置が位置表示部Ｐとして間取り図形Ｌに重ねて表示される。位置表示部Ｐは、各階の監視対象の数と１対１で対応するように複数表示されており、その位置表示部Ｐにおいて各監視対象の状態の情報、具体的には施解錠状態の情報が表示される。この施解錠状態の情報は、位置表示部Ｐにおける表示色により行われる。例えば、施錠状態の監視対象についてはその位置表示部Ｐでは緑色が表示され、解錠状態の監視対象についてはその位置表示部Ｐでは赤色が表示される。
【００９０】
各位置表示部Ｐにはそれぞれ個別の管理番号が設定されており、その各管理番号はモニタ表示部４４において対応する位置表示部Ｐに近接させて表示されている。当該管理番号は、位置表示部Ｐとセンサ装置１１との対応関係を登録する上で参照される。なお、管理番号をモニタ表示部４４に表示させるか否かは任意である。
【００９１】
モニタ表示部４４では、上記第１の実施形態と同様に階情報Ｃ１が表示される。これにより、モニタ表示部４４にて表示されている間取り図形Ｌがいずれの階のものかが明示される。なお、当該階情報Ｃ１以外にも、上記第１の実施形態における各種文字情報Ｃ２，Ｃ３を表示するようにしてもよい。
【００９２】
次に、モニタ装置４１における表示に関する電気的な構成について図８を用いて詳細に説明する。
【００９３】
モニタ装置４１は、上記のとおりマイコン４２を備えており、当該マイコン４２は不揮発性の記憶部４５を有している。記憶部４５は、間取りデータ記憶領域４６と対応関係記憶領域４７とを含んで構成されている。
【００９４】
間取りデータ記憶領域４６は、複数の各階用記憶領域４６ａ，４６ｂ，・・・を有しており、それら各階用記憶領域４６ａ，４６ｂ，・・・においてそれぞれ住宅の各階の間取りデータが登録可能となっている。この登録された間取りデータは間取り図形Ｌとしてモニタ表示部４４にて表示される。
【００９５】
対応関係記憶領域４７は、間取りデータ記憶領域４６と同様に、複数の各階用記憶領域４７ａ，４７ｂ，・・・を有しており、それら各階用記憶領域４７ａ，４７ｂ，・・・においてそれぞれ住宅の各階に設けられたセンサ装置１１のＩＤコードが個別に登録可能となっている。より具体的には、各階用記憶領域４７ａ，４７ｂ，・・・には、対応する階に設けられた各センサ装置１１の各ＩＤコードが、その階の間取り図形Ｌにおける上述した位置表示部Ｐと１対１で関連付けて登録されている。
【００９６】
マイコン４２には、各種スイッチ２５〜２９、スピーカ３０、データ入力部４３及びモニタ表示部４４が接続されている。また、マイコン４２は通信部４８に接続されており、当該通信部４８を介して受信回路２３が接続されているとともに、当該通信部４８を介してインターネット５０に接続されている。
【００９７】
マイコン４２は、インターネット５０によって管理サーバ５１から間取りデータを取得する。詳細には、管理サーバ５１は例えば住宅メーカに設けられており、住宅メーカにおいて各住宅の間取り図（例えば、ＣＡＤデータ）が間取りデータとして管理サーバ５１に登録されている。この場合、その各間取りデータには、監視対象の位置情報が位置表示部Ｐとして間取り図形Ｌに重ねて登録されており、さらに各位置表示部Ｐには上述した管理番号が設定されている。
【００９８】
マイコン４２では、取得した間取りデータを間取りデータ記憶領域４６に記憶させる。この記憶に際しては、間取りデータにおける各階のデータを判別し、その判別した各階のデータをそれぞれ対応する記憶領域４６ａ，４６ｂ，・・・に記憶させる。この判別は、住宅メーカにおいて間取りデータを管理サーバ５１に登録する際に、間取りデータに含まれる各階のデータに対して各階用識別子を設定しておくことで可能となる。
【００９９】
なお、間取りデータの取得の方法は、上記のものに限定されることはなく、間取りデータを記憶させた携帯用の記憶媒体をデータ入力部４３に接続して行うようにしてもよい。
【０１００】
次に、本実施形態における登録処理について説明する。図９は登録処理を示すフローチャート、図１０は登録処理におけるＩＤコード登録処理を示すフローチャートである。
【０１０１】
登録処理は、上記第１の実施形態と同様に、在宅モードにおいて登録スイッチ２６が操作され登録モードに移行することにより開始される。そして、図９に示すように先ずステップＳ４１にて、間取りデータ受信処理を行う。間取りデータ受信処理では、管理サーバ５１に記憶された間取りデータをインターネット５０からダウンロードする。この場合、管理サーバ５１において各住宅に固有のパスワードを設定しておくとともに、登録モードへの移行に際して住人にそのパスワードを入力させるようにすることで、間取りデータのダウンロードが良好に行われる。なお、データ入力部４３に接続された記憶媒体から間取りデータを受け取る場合には、当該間取りデータ受信処理にて当該間取りデータを受け取る。
【０１０２】
ステップＳ４１にて受信した間取りデータは、ステップＳ４２にて間取りデータ記憶領域４６に記憶される。この際、既に説明したように、間取りデータにおける各階のデータを判別し、その判別した各階のデータをそれぞれ対応する記憶領域４６ａ，４６ｂ，・・・に記憶させる。
【０１０３】
続くステップＳ４３では、登録対象階設定処理を行う。登録対象階設定処理では、登録モード下において表示階切換スイッチ２９が操作されたか否かを判定し、操作された場合には登録対象階の切換を行う。具体的には、間取りデータ記憶領域４６及び対応関係記憶領域４７のそれぞれにおける、登録対象の各階用記憶領域４６ａ，４６ｂ，・・・、４７ａ，４７ｂ，・・・の切換を行う。この登録対象階設定処理が行われることにより、モニタ表示部４４において各階の間取り図形Ｌが表示される。なお、登録対象階設定処理では、階情報Ｃ１の表示の切換も同時に行う。
【０１０４】
続くステップＳ４４では、ＩＤコード登録処理を行う。ＩＤコード登録処理について、図１０を用いて説明する。
【０１０５】
ＩＤコード登録処理では、先ずステップＳ５１にてメイン切換スイッチ２５が操作されたか否かを判定する。メイン切換スイッチ２５が操作された場合には、ステップＳ５２にて管理番号カウンタを更新する。ここで、管理番号カウンタとは、ＩＤコードの登録対象の位置表示部Ｐをマイコン４２にて特定するための記憶領域であり、マイコン４２における上記記憶部４５とは異なる揮発性メモリに設けられている。管理番号カウンタは、所定の最大値の範囲内で繰り返し更新されていくカウンタであり、その所定の最大値には各間取り図形Ｌに付された管理番号の最大値が設定される。そして、管理番号カウンタの値と各間取り図形Ｌにおける位置表示部Ｐとは１対１で関連付けられている。ステップＳ５２では、管理番号カウンタの値を１加算し、登録対象の位置表示部Ｐを１つずつ変更する。なお、図７に示すように、管理番号は間取り図形Ｌの外形に沿う１方向（図７では右回り）に昇順となるよう設定されているため、登録対象の位置表示部Ｐの変更は間取り図形Ｌの外形に沿う１方向に順次行われる。
【０１０６】
ステップＳ５１にて否定判定した場合、又はステップＳ５２の後は、ステップＳ５３にて報知処理を行う。報知処理では、登録対象の位置表示部Ｐにおける表示態様により、登録対象がいずれの位置表示部Ｐとなっているかを報知する。
【０１０７】
続くステップＳ５４では、いずれかのセンサ装置１１から登録用信号を受信したか否かを判定する。この登録用信号は、上記第１の実施形態にて説明したとおりである。登録用信号を受信していない場合にステップＳ５１に戻り、登録用信号を受信している場合にはステップＳ５５に進む。
【０１０８】
ステップＳ５５では、対応関係記憶処理を行う。対応関係記憶処理では、受信した登録用信号に含まれるＩＤコードを、管理番号カウンタの値から特定される位置表示部Ｐと関連付けて対応関係記憶部４７に登録する。続くステップＳ５６では、アンサーバック処理を行う。このアンサーバック処理は、上記第１の実施形態にて説明したとおりである。その後、本ＩＤコード登録処理を終了する。なお、ＩＤコード登録処理では上記処理以外にも、登録対処の位置表示部Ｐを間違えた場合などにその登録を消去するための消去処理も行われ、当該消去処理は消去スイッチ２７の操作に基づいて行われる。
【０１０９】
登録処理（図９）の説明に戻り、ステップＳ４４にてＩＤコード登録処理を行った後は、ステップＳ４５にて登録スイッチ２６が操作されたか否かを判定する。登録スイッチ２６が操作されていない場合には、再度ステップＳ４４のＩＤコード登録処理を行う。すなわち、登録スイッチ２６が操作されるまで、上述したＩＤコード登録処理が繰り返し行われることとなる。これにより、各センサ装置１１のＩＤコードの登録を行うことが可能となる。
【０１１０】
上記登録処理が行われることにより、マイコン４２において間取りデータが記憶されるとともに、各階の間取り図形Ｌにおける位置表示部Ｐとセンサ装置１１との関連付けが行われる。そして、マイコン４２では、センサ装置１１から受信した受信信号に応じて位置表示部Ｐにおける表示内容（具体的には、表示色）を切り換えるとともに、警戒モードにおいてはスピーカ３０からの警報音の出力などを行う。これらの報知処理の具体的な処理内容については、上記第１の実施形態と同様又は類似しているため、ここでは説明を省略する。
【０１１１】
以上のように本実施形態では、モニタ装置４１のモニタ表示部４４にて住宅の間取り図形Ｌを表示するとともに、位置表示部Ｐにより間取り図形Ｌに対応させて各監視対象の位置を表示し、さらにその位置表示部Ｐにて各監視対象の状態を識別可能に表示するようにした。つまり、モニタ装置４１では、各監視対象の状態の情報が、住宅の間取りを基準とした各監視対象の空間的な位置情報と対応付けて表示される。当該構成によれば、間取りデータを管理サーバ５１などにおいて作成しておく必要がある点で上記第１の実施形態よりも劣るものの、住人等はモニタ装置４１を一瞥するだけで当該モニタ装置４１にて住宅における何れの位置の監視対象の状態が示されているかを把握することができ、報知内容の把握の容易化が図られる。
【０１１２】
（他の実施形態）
本発明は上記各実施形態の記載内容に限定されず、例えば次のように実施しても良い。
【０１１３】
・上記各実施形態とは異なる間取り例に対して建物用監視システム１０を適用した場合を、図１１〜図１３を用いて以下に説明する。なお、以下の説明では、上記第１の実施形態のモニタ装置２１を具備する建物用監視システム１０を適用した場合について説明するが、上記第２の実施形態のモニタ装置４１を具備する建物用監視システム１０を適用することは当然可能である。図１１（ａ），図１２（ａ），図１３（ａ）は間取り例６１，６２，６３であり、図１１（ｂ），図１２（ｂ），図１３（ｂ）はモニタ装置２１における報知内容を説明するための略図である。なお、図１１（ｂ）〜図１３（ｂ）においては、上記実施形態よりもＬＥＤ３３の数が少ないモニタ装置２１を示す。
【０１１４】
図１１（ａ）に示す間取り例６１では外形が四角形状をなしており、モニタ装置２１では四角形状の外形Ｓが表示されている。そして、外形Ｓの各辺上に対応したＬＥＤ３３が登録ＬＥＤとして点灯している。かかる間取り例６１の場合、モニタ装置２１における外形作成処理（図５）においては、外側作成処理（ステップＳ３２）を行うことで外形Ｓの形成が完了され、内側作成処理（ステップＳ３３）は行われない。
【０１１５】
図１２（ａ）に示す間取り例６２では外形の一部の辺に凹部位があり、モニタ装置２１ではその凹部位を含んだ形状の外形Ｓが表示されている。この外形Ｓの表示においては、ＬＥＤ３３の数の関係上、凹部位とその他の部位との比率が実際の間取り例６２に対して若干異なっているものの、概ねの形状は一致しているため外形Ｓの把握は可能である。また、間取り例６２に設けられた複数のセンサ装置１１のうち凹部位にある所定のセンサ装置１１ｇについては、その登録ＬＥＤ３３ｇと表示された外形Ｓとの対応関係が若干異なっているものの、概ねの位置は一致しているため位置の把握は可能である。すなわち、解決手段における「建物における各監視対象の位置を外形に対応させて表示する」には、外形の表示に対する各監視対象の位置の表示が適用対象の実際の住宅と完全に一致している場合だけでなく、各監視対象の位置関係が把握可能な範囲で若干異なる場合も含まれる。
【０１１６】
図１３（ａ）に示す間取り例６３では図１２（ａ）に示す間取り例６２と同様に、外形の一部の辺において凹部位があり、モニタ装置２１ではその凹部位を含んだ形状の外形Ｓが表示されている。ここで、当該間取り例６３では、外形の左側部分における凹部位を挟んで上下に位置する部位において上側にはセンサ装置１１が配設されているのに対して、下側にはセンサ装置１１が配設されていない。かかる構成では、各センサ装置１１のＩＤコードの登録操作を行っただけでは図１３（ｂ）に示す外形Ｓの表示とはならない。つまり、５番目の登録ＬＥＤ３３ｈと６番目の登録ＬＥＤ３３ｉとの間の部分において、上記実施形態における作成方法では一点鎖線で示すような外形作成用の直線Ｌ１が表示されることとなってしまう。
【０１１７】
これに対して、センサ装置１１における外形作成機能においてダミー登録機能を付加することにより、図１３（ｂ）において実線にて示すような外形Ｓの表示が可能となる。このダミー登録機能とは、センサ装置１１のＩＤコードの登録を行っただけでは外形Ｓを把握可能に表示できない場合において、ＩＤコードの登録を伴わない外形作成用のＬＥＤの登録を可能とする機能である。具体的には、ＬＥＤ３３ｊ及びＬＥＤ３３ｋに対してダミー登録を行うことにより、これらＬＥＤ３３ｊ，３３ｋがダミー登録ＬＥＤとして設定され、外形Ｓの形成に際しては他の登録ＬＥＤと同等に扱われる。これにより、図１３（ｂ）において実線にて示すような外形Ｓの表示が可能となる。なお、かかるダミー登録機能を付加する場合、操作手段としてダミー登録用操作手段を設けてもよく、他の既存のスイッチをダミー登録用操作手段として適用してもよい。
【０１１８】
・モニタ装置の変形例を図１４及び図１５に示す。
【０１１９】
図１４に示す変形例では、モニタ装置７１は報知内容の表示手段として、ＬＥＤ表示部３１及び透明ディスプレイ表示部３２やモニタ表示部４４を有しているのではなく、一の発光表示部７２を有している。発光表示部７２には、上記実施形態におけるＬＥＤ表示部３１と同様に、多数のＬＥＤ７３が規則的に並べて搭載されている。但し、当該発光表示部７２には、上記実施形態におけるＬＥＤ表示部３１と異なり、各ＬＥＤ７３間を結ぶようにして外形作成用の直線を表示するための直線表示用ランプ部７４が設けられている。直線表示用ランプ部７４は各ＬＥＤ７３が格子点となるようにして格子状に形成されている。当該構成においては、直線表示用ランプ部７４により外形Ｓが表示されるとともに、各ＬＥＤ７３により外形Ｓに対応した各監視対象の位置及びそれら監視対象の状態が表示される。本構成によれば、上記実施形態と同様にモニタ装置７１にて表示される報知内容の把握の容易化が図られるだけでなく、上記実施形態に比して構成の簡素化が図られる。
【０１２０】
図１５に示す変形例では、モニタ装置８１は報知内容の表示手段として、上記第２の実施形態と同様にモニタ表示部８２を有している。モニタ表示部８２は、例えば液晶表示装置からなり、多色の表示が可能となっている。モニタ表示部８２には、各監視対象の位置を表示可能な多数の位置情報表示領域８３があり、それら位置情報表示領域８３に関連付けて各センサ装置１１のＩＤコードの登録が行われる。そして、そのＩＤコードが関連付けられた位置情報表示領域８３を参照して外形Ｓが表示される。
【０１２１】
また、本構成においては、各位置情報表示領域８３は外形Ｓに対応した各監視対象の位置を表示するだけであり、それら監視対象の状態はモニタ表示部８２における各位置情報表示領域８３とは離れた領域に設定された状態表示領域８４にて表示される。具体的には、各監視対象に対応した各位置情報表示領域８３においては識別用情報（例えば、数字）が表示され、状態表示領域８４においては各識別用情報に１対１で対応させて状態報知用情報（例えば、「施錠」又は「解錠」といった文字）が表示される。本構成では、これまでの例と比べて、各位置情報表示領域８３と状態表示領域８４とを比較検討する手間がある分、若干劣るが、従来のモニタ装置に比べ報知内容の把握の容易化が図られる。なお、当該構成において、外形Ｓに代えて、間取り図形を表示するようにしてもよい。
【０１２２】
・上記第２の実施形態におけるモニタ装置４１の機能を汎用ＰＣに持たせても良い。この場合、汎用ＰＣに建物監視用のプログラムをインストールし、間取りデータ記憶領域４６及び対応関係記憶領域４７の機能を含めた上記第２の実施形態におけるマイコン２４の機能を付加する。また、センサ装置１１からの各種信号を受信するための受信ユニットを汎用ＰＣに接続する。そして、インターネット５０を介して管理サーバ５１から間取りデータをダウンロードする、又は携帯用の記憶媒体から間取りデータをダウンロードする。これにより、上記第２の実施形態と同様の効果を得ることができる。
【０１２３】
・上記第１の実施形態における透明ディスプレイ表示部３２又は上記第２の実施形態におけるモニタ表示部４４において、各監視対象が設けられた部屋名を表示する構成としてもよい。当該構成においては、モニタ装置２１，４１のマイコン２４，４２に部屋名等の情報の登録を行う必要がある。例えば、上記第１の実施形態におけるモニタ装置２１には、データ入力機能を設けるようにする。かかるデータ入力機能としては、例えば文字入力用の操作ボタンを設ける構成が考えられ、又はデータ入力用の端子を設ける構成が考えられる。また、上記第２の実施形態におけるモニタ装置４１においては、管理サーバ５１などから取得する間取りデータに、予め部屋名等の情報を登録しておく構成が考えられる。
【０１２４】
・上記第１の実施形態において外形Ｓに対応したモニタ装置２１の位置を同時に表示するようにしてもよい。また、上記第２の実施形態において間取り図形Ｌに対応したモニタ装置４１の位置を同時に表示するようにしてもよい。これらの場合、外形Ｓとモニタ装置２１の位置とを基準として、又は間取り図形Ｌとモニタ装置４１の位置とを基準として、各監視対象の位置を把握することができ、報知内容の把握の容易化が図られる。
【０１２５】
・上記各実施形態において屋内部分の監視対象（例えば、金庫）にセンサ装置を設け、その監視対象の状態も同時に表示するようにしてもよい。また、外形Ｓや間取り図形Ｌを表示するのではなく、建物の外周形状を立体的に表示し、その立体的な表示に重複させて各監視対象の位置を表示するようにしてもよい。
【０１２６】
・上記各実施形態において、警戒モードにて監視対象の解錠が発生した場合には、モニタ装置２１，４１ではその解錠が発生した監視対象が設けられた階の表示に自ずと切り換わるようにしてもよい。これにより、異常が発生した際には、住人等が表示階の切換操作を行わなくてもモニタ装置２１，４１にて異常に関わる階の表示がなされることとなる。
【０１２７】
・上記各実施形態において全ての階の表示を同時に行うようにしても良い。例えば、１階部分と２階部分とを並べて表示するようにする。これにより、モニタ装置２１，４１を一瞥するだけで、住宅における全監視対象の状態を把握することができる。
【図面の簡単な説明】
【０１２８】
【図１】第１の実施形態における建物用監視システムの概略ブロック図。
【図２】（ａ）はモニタ装置の外観構成を示す正面図、（ｂ）はモニタ装置の側面図。
【図３】登録処理を示すフローチャート。
【図４】ＩＤコード登録処理を示すフローチャート。
【図５】外形作成処理を示すフローチャート。
【図６】（ａ）は間取り例を示す説明図、（ｂ）〜（ｅ）は外形の作成態様を説明するための説明図。
【図７】第２の実施形態におけるモニタ装置の外観構成を示す正面図。
【図８】建物用監視システムの概略ブロック図。
【図９】登録処理を示すフローチャート。
【図１０】ＩＤコード登録処理を示すフローチャート。
【図１１】（ａ）は別の間取り例を示す説明図、（ｂ）はモニタ装置にて表示される報知内容を説明するための説明図。
【図１２】（ａ）は別の間取り例を示す説明図、（ｂ）はモニタ装置にて表示される報知内容を説明するための説明図。
【図１３】（ａ）は別の間取り例を示す説明図、（ｂ）はモニタ装置にて表示される報知内容を説明するための説明図。
【図１４】別のモニタ装置の構成を示す正面図。
【図１５】別のモニタ装置の構成を示す正面図。
【図１６】背景技術及び課題を説明するための説明図。
【符号の説明】
【０１２９】
１０…建物用監視システム、１１…センサ装置、２１…建物用監視装置としてのモニタ装置、２４…表示制御手段としてのマイコン、２９…表示階切換スイッチ、３１…発光体搭載部としてのＬＥＤ表示部、３２…線表示手段としての透明ディスプレイ表示部、３３…位置情報表示部位としてのＬＥＤ、３５…記憶部、３６…記憶手段としての対応関係記憶領域、３７…把握手段を構成する外形記憶領域、４１…建物用監視装置としてのモニタ装置、４２…表示制御手段としてのマイコン、４４…モニタ表示部、４５…記憶部、７１…建物用監視装置としてのモニタ装置、７２…発光体搭載部としての発光表示部、７３…位置情報表示部位としてのＬＥＤ、７４…線表示手段としての直線表示用ランプ部、８１…建物用監視装置としてのモニタ装置、８２…モニタ表示部、８３…位置情報表示領域、Ｌ…間取り図形、Ｐ…位置表示部、Ｓ…外形。
【図１】
2008257328.tif 000003
【図２】
2008257328.tif 000004
【図３】
2008257328.tif 000005
【図４】
2008257328.tif 000006
【図５】
2008257328.tif 000007
【図６】
2008257328.tif 000008
【図７】
2008257328.tif 000009
【図８】
2008257328.tif 000010
【図９】
2008257328.tif 000011
【図１０】
2008257328.tif 000012
【図１１】
2008257328.tif 000013
【図１２】
2008257328.tif 000014
【図１３】
2008257328.tif 000015
【図１４】
2008257328.tif 000016
【図１５】
2008257328.tif 000017
【図１６】
2008257328.tif 000018